【事件の表示】
　平成　９年特許願第　２４１０１号「データ選択及びまたはデータに対する処理を容易とするデータ処理装置並びにデータ処理方法」拒絶査定に対する審判事件〔平成　９年１０月２１日出願公開、特開平　９−２７４５５４、請求項の数（５）〕について、次のとおり審決する。
【結　論】
　原査定を取り消す。
　本願の発明は、特許すべきものとする。
【理　由】
１．本願発明
　本願は、平成９年２月６日（優先権主張　平成８年２月８日）の出願であって、その請求項１乃至５に係る発明は、次の特許請求の範囲の請求項１乃至５に記載された事項により特定されるとおりのものであると認める。
　　【請求項１】　表示手段にキーワードを含むデータを表示して、そのキーワードに関連する動作実行のための操作項目を有する操作メニューを併せて表示するデータ処理装置であって、
　前記表示手段に表示されるキーワードを含むデータと、キーワードとその内容による分類との対応とを記憶している文書データ記憶手段と、
　上記キーワードの内容による分類に応じた操作項目を列挙した操作メニュー情報を複数記憶している操作メニュー情報記憶手段と、
　利用者の操作に従い、データの表示を指示する第１指示操作手段と、
　前記第１指示操作手段の指示を受けて、前記文書データ記憶手段に記憶されているデータを読み出して前記表示手段に表示させる第１表示制御手段と、
　利用者の操作に従い、前記表示手段に表示されているデータ中のキーワードを選択するキーワード選択操作手段と、
　デフォルト又は前記キーワード選択操作手段の選択に従い、前記表示手段に表示されているデータ中のキーワードを選択表示する第２表示制御手段と、
　利用者の操作に従い、選択表示されている操作メニューの表示を指示する第２指示操作手段と、
　前記第２指示操作手段の指示に従い、前記表示手段に選択表示されているキーワードの内容による分類を前記文書データ記憶手段から読み出し、その内容による分類に応じた操作メニュー情報を前記操作メニュー情報記憶手段から読み出してその操作項目をメニュー項目とする操作メニューを作成する操作メニュー作成手段と、
　前記操作メニュー作成手段で作成された操作メニューを前記表示手段に設けたウィンドウに表示させる第３表示制御手段とを備えることを特徴とするデータ処理装置。
　　【請求項２】　利用者の操作に従い、前記表示手段に表示された操作メニューのメニュー項目を選択して決定するメニュー項目選択決定操作手段と、
　前記メニュー項目選択決定操作手段で選択して決定されたメニュー項目である操作項目を動作プログラムに従い実行する動作実行手段とを備えることを特徴とする請求項１記載のデータ処理装置。
　　【請求項３】　ＴＶ放送局から送信される放送を受信して、データと、キーワードとその内容による分類との対応を示す情報とを分離して取得する文書データ取得手段と、
　前記文書データ取得手段が取得したデータと、キーワードとその内容による分類との対応を示す情報とを前記文書データ記憶手段に書き込む書込手段とを更に備えることを特徴とする請求項２記載のデータ処理装置。
　　【請求項４】　表示手段に表示されるキーワードを含むデータに操作メニューを表示するデータ処理方法であって、
　表示手段に表示されているデータ中のキーワードの選択指示を受け付けるキーワード選択操作ステップと、
　前記キーワード選択操作ステップで受け付けた選択指示に従い、表示手段に表示されているデータ中のキーワードを選択表示する第２表示制御ステップと、
　操作メニューの表示指示を受け付ける第２指示操作ステップと、
　前記第２指示操作ステップで受け付けた指示に従い、表示手段に選択表示されているキーワードの内容による分類を記憶領域から読み出し、その内容による分類に応じた操作メニュー情報を記憶領域から読み出してその操作項目をメニュー項目とする操作メニューを作成する操作メニュー作成ステップと、
　前記操作メニュー作成ステップで作成された操作メニューを表示手段に表示させる第３表示制御ステップとを有することを特徴とするデータ処理方法。
　　【請求項５】　表示手段に表示された電子番組表に操作メニューを表示するデータ処理方法であって、
　前記電子番組表に表示されているデータ中の一部のデータの選択指示を受け付けるキーワード選択操作ステップと、
　前記キーワード選択操作ステップで受け付けた選択指示に従い、表示手段に表示されているデータ中の一部のデータを選択表示する第２表示制御ステップと、
　操作メニューの表示指示を受け付ける第２指示操作ステップと、
　前記第２指示操作ステップで受け付けた表示指示に従い、表示手段に選択表示されている一部のデータの内容による分類を記憶領域から読み出し、その内容による分類に応じた操作メニュー情報を記憶領域から読み出してその操作項目をメニュー項目とする操作メニューを作成する操作メニュー作成ステップと、
　前記操作メニュー作成ステップで作成された操作メニューを表示手段に表示させる第３表示制御ステップとを有することを特徴とするデータ処理方法。
　
２．引用文献
　これに対し、前置審査の平成１４年1月８日付拒絶理由通知で引用された「広野忠敏，新しいＷｉｎｄｏｗｓ　９５のカスタマイズ手段　レジストリエディタ，ＤＯＳ／Ｖ　ＰＯＷＥＲ　ＲＥＰＯＲＴ，日本，株式会社インプレス，１９９６年　２月　１日，６［１］，Ｐ．５０−５３」（以下、「引用文献１」という）には、次の技術事項が記載されている。
（１ａ）ＯＬＥと関連付けに関するカスタマイズ
　ＨＫＥＹ＿ＣＬＡＳＳＥＳ＿ＲＯＯＴには、拡張子と関連付けやＯＬＥに関しての情報が含まれている。この中にはファイルやフォルダを右クリックして表示されるコンテキストメニューに関する情報や、コンテキストメニュー中の新規作成エントリーの情報なども含まれる。（第５２頁中欄）
（２ａ）ファイルを右クリックしたときの表示される今（「コン」の誤り）テキストメニューと実行されるコマンドの情報なども含まれている。たとえば、ワードパッド（．ｗｒｉ）ファイルの情報は次のようにレジストリに登録されている。（第５３頁左欄）
（３ａ）ところで、ＨＫＥＹ＿ＣＬＡＳＳＥＳ＿ＲＯＯＴにはこのようにファイルの拡張子の情報以外にもドライブやフォルダに対する情報エントリーがある。それぞれドライブはＨＫＥＹ＿ＣＬＡＳＳＥＳ＿ＲＯＯＴ￥Ｄｒｉｖｅ、フォルダがＨＫＥＹ＿ＣＬＡＳＳＥＳ＿ＲＯＯＴ￥Ｆｏｌｄｅｒでこのエントリーのｓｈｅｌｌキーに新しいキーを追加するとドライブアイコンやフォルダアイコンを右クリックしたときのコンテキストメニューを追加することができる。（第５３頁左欄から中欄）
　
　また、同拒絶理由通知で引用された「金子　誠＋編集部，Ｎｅｔｓｃａｐｅ自由自在，ＩＮＴＥＲＮＥＴ　ｍａｇａｚｉｎｅ，日本，株式会社インプレス，１９９５年　８月　１日，［７］，Ｐ．６４−８０及び付録ＣＤ−ＲＯＭ」（以下、「引用文献２」という）には、図６と共に、次の技術事項が記載されている。
（１ｂ）気に入った画像はディスクに保存できる
　ネットサーフィンをしていて素敵な絵や写真に出会うと、自分のディスクに保存して、ゆっくり鑑賞したくなる。そんなときは、画像にマウスカーソルを合わせ、Ｗｉｎｄｏｗｓの人は右ボタンを、Ｍａｃｉｎｔｏｓｈの人はマウスボタンをちょっと押し続けてみよう。表示されたポップアップメニューからＳａｖｅ　ｔｈｉｓ　Ｉｍａｇｅ　Ａｓを選ぶと、ファイル名が表示され、そのままディスクにセーブできる。（第７９頁最上段）
　
　また、同拒絶理由通知で引用された実願昭６２−４１０１９号（実開昭６３−１４９６７６号）のマイクロフィルム（以下、「引用文献３」という）および特開平６−４６０１４号公報（以下、「引用文献４」という）には、次の技術事項が記載されている。
（１ｃ）「テレビ放送に混合されて放送され、テレビ番組の内容案内を含む文字放送を受信し、文字データを分離抽出してコンピュータ上に表示すること」
　
３．対比・判断
　請求項１、４、５に係る発明と各引用文献１〜４とをそれぞれ比較すると、請求項１の「キーワードとその内容による分類との対応を記憶」すること、請求項４の「記憶領域から読み出」される「キーワードの内容による分類」、請求項５の「電子番組表に表示されているデータ中の一部のデータの選択指示」に応じて「記憶領域から読み出」される「選択表示されている一部のデータの内容による分類」は、いずれも引用文献１〜４には記載されておらず、示唆もされていない。引用文献１におけるアイコンが、請求項１、４の「キーワード」もしくは請求項５の「一部のデータ」とはいえないし、アイコンを付して表示されるファイル名を「キーワード」もしくは「一部のデータ」と対応させたとしても、ファイル名の内容にしたがってファイルの拡張子が分類されるわけではない（このことは、同じファイル名でも異なった拡張子を持つ別ファイルが存在し得ることから明らかである）から、引用文献１におけるファイルの拡張子が、「キーワードの内容による分類」もしくは「選択表示されている一部のデータの内容による分類」に相当するとはいえない。
　また、請求項２、３は請求項１のすべての構成要件を引用するものである。
　したがって、請求項１乃至５に係る発明は、引用文献１〜４に記載の発明から容易に発明をすることができたとはいえない。
　
４．むすび
　したがって、請求項１乃至５に係る発明は、引用文献１〜４に記載された発明に基づいて当業者が容易に発明をすることができたものとすることはできない。
　また、他に本願を拒絶すべき理由を発見しない。
　よって、結論のとおり審決する。